(57)【要約】【課題】横幅および奥行きの小形化を図る。【解決手段】円筒状の縦形ケース３の内部において、上部に中心棒４を中心として螺旋羽根５からなる螺旋スロープ６を有する縦形球樋１を形成し、下部に演算子の∫形状に類似した通路形状からなる計数通路７および電磁ソレノイド９で駆動される払出体８および計数器１１を備えた払出機構２を組み付けた構造であって、払出機構２の球受入部分の位置に合わせるには螺旋スロープ６が中心棒４を中心として旋回させて配置することによって適切に連結できる。このように螺旋スロープ６を周方向に旋回させても、縦形ケース３が円筒形状であるため、縦形ケース３の横幅および奥行きは変化しないので、設置スペースを小さくすることができる。【選択図】        図１
2004208724.tif 000002
【特許請求の範囲】
【請求項１】
縦形ケースの内部に螺旋スロープを形成した縦形球樋と、縦形球樋から供給された球を遊技機に払い出す払出機構と、払出機構を制御する払出制御装置とを備えたことを特徴とする遊技球払出装置。
【請求項２】
縦形ケースを下方に延設し、この延設部の内部に払出機構を格納したことを特徴とする請求項１記載の遊技球払出装置。
【請求項３】
払出機構の計数通路が∫に類似した通路形状に形成されたことを特徴とする請求項１記載の遊技球払出装置。
【請求項４】
計数通路における弧状の上部と直線状の中間部との連接部分に払出体の球止部が突出可能に配置されたことを特徴とする請求項３記載の遊技球払出装置。
【請求項５】
払出機構における計数器の球感知部が球止部よりも下部における計数通路の直線状の中間部に配置されたことを特徴とする請求項４記載の遊技球払出装置。
【発明の詳細な説明】
【０００１】
【発明の属する技術分野】
本発明は遊技機や貸出機に使用する球を払い出す遊技球払出装置に関する。
【０００２】
【従来の技術】
従来のパチンコ機の遊技球払出装置は遊技機設置設備の補給系統から供給された球を縦形球樋を経由して払出機構に供給し、払出機構の球払出動作で球を遊技機の前側に設けられた受皿に供給している（例えば、特許文献１参照）。
【０００３】
【特許文献１】
特開平１０−３２３４３７号公報（第１頁、要約、図２）
【０００４】
【発明が解決しようとする課題】
しかしながら、前記従来例は縦形球樋の内部に形成された蛇行球通路が球を左右に蛇行させながら流下させていく構造であるため、払出機構の球受入部分の位置によって蛇行球通路を周方向に旋回させて配置しなければ縦形球樋と払出機構とが適切に連結できず、縦形球樋の設置スペースが周辺の払出制御装置などの配置を圧迫してしまうという問題点があった。
【０００５】
そこで、本発明は払出機構の球受入口の位置に合せて縦形球樋を周方向に旋回させても設置スペースを小さくすることができる遊技球払出装置を提供するものである。
【０００６】
【課題を解決するための手段】
本発明にあっては、縦形ケースの内部に螺旋スロープを形成した縦形球樋と、縦形球樋から供給された球を遊技機に払い出す払出機構と、払出機構を制御する払出制御装置とを備えたことによって、縦形ケースの内部に中心棒を中心とする螺旋スロープによる球通路が形成された構造であるので、払出機構の球受入部分の位置に合わせるには螺旋スロープが中心棒を中心として旋回させて配置することによって適切に連結できる。このように螺旋スロープを周方向に旋回させても、縦形ケースが円筒形状であるため、縦形ケースの横幅および奥行きは変化しないので、設置スペースを小さくすることができる。また、本発明にあっては、縦形ケースを下方に延設し、この延設部の内部に払出機構を格納すれば、遊技球払出装置としてのユニット形状が維持され、遊技球払出装置の遊技機または貸出機への取付性がよい。また、本発明にあっては、払出機構の計数通路が∫に類似した通路形状に形成されれば、縦形球樋から払出機構に供給される球は、螺旋スロープを旋回しながら流下するので、螺旋スロープを流下する球の流下速度が蛇行通路を行き交いながら流下する球の流下速度よりも速くなる。この球が螺旋スロープを流下する過程において、流下による衝撃力が遠心力で和らげられるので、流下する球の衝撃力は低下し、払出機構の耐久性が向上する。また、本発明にあっては、計数通路における弧状の上部と直線状の中間部との連接部分に払出体の球止部が突出可能に配置されれば、螺旋スロープから計数通路に乗り移った球の流速が上昇する以前に、球止部が球を受け止めるので、払出機構の耐久性を一層向上することができる。また、本発明にあっては、払出機構における計数器の球感知部が球止部よりも下部における計数通路の直線状の中間部に配置されれば、計数通路における弧状の上部から直線状の中間部に球が移動する過程において、球の流下方向が縦形ケースの径方向から上下方向に切り替わることで、連続する複数の球における下方の球とそれに続く上部の球とが互いに上下方向で離れる現象つまり球切れが発生するので、計数器は払い出す球を１個ずつ適切に検出することができる。
【０００７】
【発明の実施の形態】
図１−図３は一実施形態であって、図１は遊技球払出装置の縦方向に切断した断面を示し、図２は遊技球払出装置の外観を示し、図３は遊技球払出装置の内部を示す。
【０００８】
図１を参照し、遊技球払出装置について説明する。遊技球払出装置は縦形球樋１と払出機構２とを上方から下方に向けて直線的に配置した形態である。縦形球樋１は円筒状の縦形ケース３の内部に上下方向に延びる中心棒４を固定的に備え、中心棒４の外側にスクリューのように螺旋羽根５を固定的に備えたことにより、縦形ケース３の内部に上下方向に中心棒４を中心とする螺旋スロープ６６が形成される。縦形ケース３における螺旋スロープ６よりも下方部分には払出機構２が設けられる。払出機構２は計数通路７と払出体８とアクチュエータとしての電磁ソレノイド９と計数器１１とを備える。計数通路７は螺旋スロープ６の下端部から流出される球を取り込んで縦形ケース３の外部に排出する球通路であって、演算子の「∫」形状に類似した通路形状になっている。
【０００９】
具体的には、計数通路７の上部が例えば左側から右側に行くに従って徐々に曲る弧状であり、計数通路７の中間部が垂直に近い傾斜角度の直線状であり、計数通路７の下部が右側から左側に行くに従って徐々に曲る弧状である。計数通路７における上部と中間部との連接部分には内側に貫通孔１２が形成され、外側に計数器取付部１３が形成される。払出体８は台形板状の上部から左側に鳥のくちばしのような形状に突出した球止部１４を備え、球止部１４の真下に位置する台形板状の隅部に回転中心としての払出体軸１５を備える。払出体軸１５は払出体８を縦形ケース３に回転可能に支持する軸である。
【００１０】
払出体８が払出体軸１５を中心として右側から左側に回転すると、球止部１４が計数通路７の外部から貫通孔１２を経由して計数通路７の内部に突出する。その状態において、払出体８が払出体軸１５を中心として左側から右側に回転すると、球止部１４が計数通路７の内部から退避する。電磁ソレノイド９のプランジャ１６が上方に向けられた格好で、電磁ソレノイド９が縦形ケース３に図外の止ねじで取り付けられる。プランジャ１６と払出体８とがリンク機構１７で連結される。リンク機構１７は複数のリンクプレート１８；１９を備える。一方のリンクプレート１８は一端部がリンク軸２１で縦形ケース３に上下方向に回転可能に取り付けられる。一方のリンクプレート１８の他端部と他方のリンクプレート１９の一端部とが互いにピン２２で回転可能に取り付けられる。
【００１１】
他方のリンクプレート１９の他端部と払出体８における払出体軸１５の反対側に位置する下部の隅部とが互いにピン２３で回転可能に連結される。一方のリンクプレート１８におけるリンク軸２１とピン２３との間の中間部とプランジャ１６とが互いにピン２４で回転可能に連結される。このプランジャ１６と一方のリンクプレート１８との連結は図外の結合プレートで回転可能に連結されていてもよい。払出体８、リンク機構１７、プランジャ１６の少なくとも何れか１つにはばね２５によるばね力が球止部１４を計数通路７内に突出する方向に付与されている。計数器１１は凹部の両側で相対峙する発光部と受光部とを備えた透過形の光センサであって、受光部と発光部との間の凹部が計数通路７を取り込むような格好で、計数器１１が計数器取付部１３に取り付けられる。計数器１１の発光部から受光部に向けて発射される球感知部としての光軸２６は、計数通路７に形成された図外の貫通孔１２を経由する。
【００１２】
払出制御装置２７は遊技機または貸出機からの払出指示信号で電磁ソレノイド９を駆動する。つまり、ばね２５のばね力で球止部１４が計数通路７の内部に突出している状態において、払出制御装置２７が電磁ソレノイド９に電力を供給すると、電磁ソレノイド９がプランジャ１６を下方に吸引する。それに伴い、一方のリンクプレート１８がリンク軸２１を回転中心として下方に回転し、他方のリンクプレート１９が払出体８を下方に引く。それによって、払出体８が払出体軸１５を回転中心として右側に回転し、球止部１４が計数通路７の内部から退避する。縦形ケース３の上部に形成された球受口２８には縦形球樋１に球を供給する例えばタンクからの樋２９が接続される。
【００１３】
図２を参照し、遊技球払出装置の外観構造について説明する。縦形ケース３は竹を２つに割ったような格好で左右に２分割された半円筒ケース３１；３２を備える。一方の半円筒ケース３１の下部には内側から外側に突出する箱形の払出機構収納部３３を備える。一方の半円筒ケース３１の分割面と他方の半円筒ケース３２の分割面とが互いに合わされた格好で２つの半円筒ケース３１；３２が組み合されることによって、単一の縦形ケース３が構成される。２つの半円筒ケース３１；３２の外側面には被係合部３４を備える。被係合部３４は２つの半円筒ケース３１；３２が分割面で組み合されることによって互いに嵌め合わされる突起として形成される。２つの半円筒ケース３１；３２の組み合された形態は二股アーム３５を上下に備えたホルダー３６で保持される。ホルダー３６は縦長板状のホルダー本体３７における裏側に着脱可能に装着されたフック部３８を備える。
【００１４】
二股アーム３５はホルダー本体３７から前側に弧状に屈曲された腰部３９と、腰部３９から前側に弧状に延設された支持部４０と、支持部４０から前側に行くに従って外側に広がる先端部４１とを備える。支持部４０には孔として形成された係合部４２を備える。二股アーム３５は２つの半円筒ケース３１；３２の組み合された縦形ケース３が二股アーム３５の外側から先端部４１を経由して支持部４０に押し込まれるのに伴い外側に撓んで広がった後に弾性で対向間隔を狭めるように縮まることで、その復元弾性下で縦形ケース３を外側から抱え持つように支持する一方、係合部４２と縦形ケース３の被係合部３４とが互いに嵌め合わされる。このように、係合部４２と被係合部３４とが互いに嵌め合わされることで２つの半円筒ケース３１；３２が分離しないように支持される。
【００１５】
縦形ケース３の内部には図１の螺旋羽根５を有する中心棒４が収納された後、縦形ケース３の上端部には円形のキャップ４５が装着される。キャップ４５は縦形ケース３と同様にホルダー３６の１つの二股アーム３５で保持される。また、縦形ケース３の払出機構２における払出機構収納部３３の内部には図１の払出機構２が組み込まれた後、縦形ケース３の下端部には円形のキャップ４６が装着される。キャップ４６は縦形ケース３と同様にホルダー３６の１つの二股アーム３５で保持される。キャップ４５；４６は半円筒ケース３１；３２と同様に係合部４２に嵌め込まれる被係合部４７；４８を備える。
【００１６】
図３を参照し、遊技球払出装置の内部構造について説明する。内部構造は一方の半円筒ケース３１を取り外した状態である。そして、螺旋羽根５の下端部において、螺旋羽根５の端面と計数通路７の入口を囲み形成する下壁４９の端面とが互いに突き合わされた格好であって、螺旋羽根５の上面と計数通路７における下壁４９の上面とが同一面内に位置する。
【００１７】
本実施形態の構造によれば、縦形ケース３の内部に中心棒４を中心とする螺旋スロープ６による球通路が形成された構造であるので、払出機構２の球受入部分の位置に合わせるには螺旋スロープ６が中心棒４を中心として旋回させて配置することによって適切に連結できる。このように螺旋スロープ６を周方向に旋回させても、縦形ケース３が円筒形状であるため、縦形ケース３の横幅および奥行きは変化しないので、設置スペースを小さくすることができる。縦形ケース３の内部において、上部に縦形球樋１を配置し、下部に払出機構２を配置した構造であるので、遊技球払出装置としてのユニット形状が維持され、遊技球払出装置の遊技機または貸出機への取付性がよい。
【００１８】
縦形球樋１から払出機構２に供給される球は、螺旋スロープ６を旋回しながら流下するので、螺旋スロープ６を流下する球の流下速度が蛇行通路を行き交いながら流下する球の流下速度よりも速くなる。この球が螺旋スロープ６を流下する過程において、流下による衝撃力が遠心力で和らげられるので、流下する球の衝撃力は低下する。よって、計数通路７の内部に突出した球止部１４が球を止める場合の球から受ける衝撃が少ないので、払出体８の耐久性が向上する。
【００１９】
計数通路７が演算子の「∫」形状に類似した通路形状になっており、その上部と中間部との連接部分に球止部１４が突出するように配置されているので、螺旋スロープ６から計数通路７に乗り移った球の流速が上昇する以前に、球止部１４が球を受け止めるため、払出体８の耐久性を一層向上することができる。計数器１１の光軸２６が球止部１４よりも下部における中間部の上段に配置されている。この中間部は垂直に近い直線状の斜面であるので、計数通路７における弧状の上部から直線状斜面の中間部に球が移動する過程において、球の流下方向が縦形ケース３の径方向から上下方向に切り替わることで、連続する複数の球における下方の球とそれに続く上部の球とが互いに上下方向で離れる現象つまり球切れが発生する。この球切れによって、計数器１１は払い出す球を１個ずつ適切に検出することができる。
【図面の簡単な説明】
【図１】一実施形態の遊技球払出装置を示す縦断面図。
【図２】同実施形態の遊技球払出装置の外観を示す斜視図。
【図３】同実施形態の遊技球払出装置の内部を示す斜視図。
【符号の説明】
１  縦形球樋、２  払出機構、３  縦形ケース、６  螺旋スロープ、
７  計数通路、１１  計数器、１４  球止部、２６  光軸、
２７  払出制御装置。
【図１】
2004208724.tif 000003
【図２】
2004208724.tif 000004
【図３】
2004208724.tif 000005